(57)【要約】      （修正有）【課題】周波数の調整が容易で電力消費の少ない信号発生器を提供する。【解決手段】発振信号を提供する発振回路７０８と、制御信号に基づいて、キャパシタンス７１０、インダクタンス７１２、またはキャパシタンス７１０およびインダクタンス７１２の可変量を前記発振回路に接続するリアクタンス回路と、前記発振信号の周波数における一時的な変更を引き起こすために、前記制御信号を第１信号値から第２信号値に一時的に変化させる制御回路７０２とにより構成する。【選択図】図７
2014014081.tif 000002
【特許請求の範囲】
【請求項１】
信号を提供する装置であって、
発振信号を提供する発振回路と、
制御信号に基づいて、キャパシタンス、インダクタンス、またはキャパシタンスおよびインダクタンスの可変量を前記発振回路に接続するリアクタンス回路と、
前記発振信号の周波数における一時的な変更を引き起こすために、前記制御信号を第１信号値から第２信号値に一時的に変化させる制御回路と、を具備する装置。
【請求項２】
前記制御信号を前記一時的に変化させることは、前記発振信号の位相をスキューするために用いられる請求項１の装置。
【請求項３】
前記制御回路はさらに、前記スキューの大きさを定義するために、前記制御信号を前記一時的に変化させることの継続期間を定義する請求項２の装置。
【請求項４】
前記発振信号の周波数における前記変更は、前記発振信号の位相をスキューするために用いられる周波数における増加または減少を具備する請求項１の装置。
【請求項５】
前記制御信号を前記一時的に変化させることは、前記発振信号の位相の離散的なスキューを引き起こすために用いられる、前記第１信号値から前記第２信号値まで、および前記第１信号値へ戻るまでの一時的な変更を具備する請求項１の装置。
【請求項６】
前記制御信号を前記一時的に変化させることは、期間での前記発振信号の有効周波数を変更するために、前記期間で前記第１および第２信号値間で繰り返し変化させることを具備する請求項１の装置。
【請求項７】
前記制御回路はさらに、前記有効周波数を定義するために前記制御信号のデューティサイクルを定義する請求項６の装置。
【請求項８】
前記リアクタンス回路はさらに、前記制御信号が前記第１信号値である場合、キャパシタンス、インダクタンス、またはキャパシタンスおよびインダクタンスの第１量を前記発振回路に接続し、
前記リアクタンス回路はさらに、前記制御信号が前記第２信号値である場合、キャパシタンス、インダクタンス、またはキャパシタンスおよびインダクタンスの第２量を前記発振回路に接続する請求項１の装置。
【請求項９】
前記リアクタンス回路は、前記制御信号に応じて、容量性素子、誘導性素子、または容量性素子および誘導性素子を前記発振回路に接続するおよび切り離すスイッチを具備する請求項８の装置。
【請求項１０】
前記リアクタンス回路は、前記制御信号に基づくキャパシタンスの前記可変量を提供する可変容量性素子、前記制御信号に基づくインダクタンスの前記可変量を提供する可変誘導性素子、または、前記制御信号に基づくキャパシタンスおよびインダクタンスの前記可変量を提供する可変容量性および誘導性素子を具備する請求項１の装置。
【請求項１１】
前記発振回路は、インバータと並列に接続された水晶振動子を具備する請求項１の装置。
【請求項１２】
前記制御回路は、トラッキングループにおいて実装され、
前記トラッキングループは、別の信号の位相および周波数、位相、周波数を追跡するために、前記発振信号の位相および周波数、位相、周波数を調整する請求項１の装置。
【請求項１３】
前記別の信号は、受信信号から回復されるクロック信号を具備する請求項１２の装置。
【請求項１４】
前記発振信号に基づいて超広帯域パルスからデータを回復するデータ回復回路をさらに具備する請求項１の装置。
【請求項１５】
前記超広帯域パルスは、約２０％以上の部分的な帯域幅、約５００ＭＨｚ以上の帯域幅、または約２０％以上の部分的な帯域幅かつ約５００ＭＨｚ以上の帯域幅に関連する請求項１４の装置。
【請求項１６】
信号を提供する方法であって、
発振回路によって、発振信号を提供し、
制御信号に基づいて、キャパシタンス、インダクタンス、またはインダクタンスおよびキャパシタンスの可変量を前記発振回路に接続し、
前記発振信号の周波数における一時的な変更を引き起こすために、前記制御信号を第１信号値から第２信号値に一時的に変化させることを具備する方法。
【請求項１７】
前記制御信号を前記一時的に変化させることは、前記発振信号の位相をスキューするために用いられる請求項１６の方法。
【請求項１８】
前記スキューの大きさを定義するために、前記制御信号を前記一時的に変化させることの継続期間を定義することをさらに具備する請求項１７の方法。
【請求項１９】
前記発振信号の周波数における前記変更は、前記発振信号の位相をスキューするために用いられる周波数における増加または減少を具備する請求項１６の方法。
【請求項２０】
前記制御信号を前記一時的に変化させることは、前記発振信号の位相の離散的なスキューを引き起こすために用いられる、前記第１信号値から前記第２信号値まで、および前記第１信号値へ戻るまでの一時的な変更を具備する請求項１６の方法。
【請求項２１】
前記制御信号を前記一時的に変化させることは、期間での前記発振信号の有効周波数を変更するために、前記期間で前記第１および第２信号値間で繰り返し変化させることを具備する請求項１６の方法。
【請求項２２】
前記有効周波数を定義するために前記制御信号のデューティサイクルを定義することをさらに具備する請求項２１の方法。
【請求項２３】
前記接続することは、
前記制御信号が前記第１信号値である場合、キャパシタンス、インダクタンス、またはキャパシタンスおよびインダクタンスの第１量を前記発振回路に接続し、
前記制御信号が前記第２信号値である場合、キャパシタンス、インダクタンス、またはキャパシタンスおよびインダクタンスの第２量を前記発振回路に接続することを具備する請求項１６の方法。
【請求項２４】
前記接続することは、前記制御信号に応じて、容量性素子、誘導性素子、または容量性素子および誘導性素子を前記発振回路に接続することおよび切り離すことをさらに具備する請求項２３の方法。
【請求項２５】
前記接続することは、前記制御信号に基づく可変容量性素子のキャパシタンスを調整し、前記制御信号に基づく可変誘導性素子のインダクタンスを調整し、または、前記制御信号に基づく可変容量性および誘導性素子のキャパシタンスおよびインダクタンスを調整することを具備する請求項１６の方法。
【請求項２６】
前記発振回路は、インバータと並列に接続された水晶振動子を具備する請求項１６の方法。
【請求項２７】
前記制御信号を前記一時的に変化させることは、トラッキングループにおいて実装され、
前記トラッキングループは、別の信号の位相および周波数、位相、周波数を追跡するために、前記発振信号の位相および周波数、位相、周波数を調整する請求項１６の方法。
【請求項２８】
前記別の信号は、受信信号から回復されるクロック信号を具備する請求項２７の方法。
【請求項２９】
前記発振信号に基づいて超広帯域パルスからデータを回復することをさらに具備する請求項１６の方法。
【請求項３０】
前記超広帯域パルスは、約２０％以上の部分的な帯域幅、約５００ＭＨｚ以上の帯域幅、または約２０％以上の部分的な帯域幅かつ約５００ＭＨｚ以上の帯域幅に関連する請求項２９の方法。
【請求項３１】
信号を提供する装置であって、
発振信号を提供する手段と、
制御信号に基づいて、キャパシタンス、インダクタンス、またはキャパシタンスおよびインダクタンスの可変量を提供する前記手段に接続する手段と、
前記発振信号の周波数における一時的な変更を引き起こすために、前記制御信号を第１信号値から第２信号値に一時的に変化させる手段と、を具備する装置。
【請求項３２】
前記制御信号を前記一時的に変化させることは、前記発振信号の位相をスキューするために用いられる請求項３１の装置。
【請求項３３】
一時的に変化させる前記手段は、前記スキューの大きさを定義するために、前記制御信号を前記一時的に変化させることの継続期間を定義する請求項３２の装置。
【請求項３４】
前記発振信号の周波数における前記変更は、前記発振信号の位相をスキューするために用いられる周波数における増加または減少を具備する請求項３１の装置。
【請求項３５】
前記制御信号を前記一時的に変化させることは、前記発振信号の位相の離散的なスキューを引き起こすために用いられる、前記第１信号値から前記第２信号値まで、および前記第１信号値へ戻るまでの一時的な変更を具備する請求項３１の装置。
【請求項３６】
前記制御信号を前記一時的に変化させることは、期間での前記発振信号の有効周波数を変更するために、前記期間で前記第１および第２信号値間で繰り返し変化させることを具備する請求項３１の装置。
【請求項３７】
一時的に変化させる前記手段は、前記有効周波数を定義するために前記制御信号のデューティサイクルを定義する請求項３６の装置。
【請求項３８】
接続する前記手段は、
前記制御信号が前記第１信号値である場合、キャパシタンス、インダクタンス、またはキャパシタンスおよびインダクタンスの第１量を提供する前記手段に接続し、
前記制御信号が前記第２信号値である場合、キャパシタンス、インダクタンス、またはキャパシタンスおよびインダクタンスの第２量を提供する前記手段に接続する請求項３１の装置。
【請求項３９】
接続する前記手段は、前記制御信号に応じて、容量性素子、誘導性素子、または容量性素子および誘導性素子を提供する前記手段に接続するおよび切り離す請求項３８の装置。
【請求項４０】
接続する前記手段は、
前記制御信号に基づくキャパシタンスの前記可変量を提供する可変容量性素子を具備し、前記制御信号に基づくインダクタンスの前記可変量を提供する可変誘導性素子を具備し、または、前記制御信号に基づくキャパシタンスおよびインダクタンスの前記可変量を提供する可変容量性および誘導性素子を具備する請求項３１の装置。
【請求項４１】
提供する前記手段は、インバータと並列に接続された水晶振動子を具備する請求項３１の装置。
【請求項４２】
一時的に変化させる前記手段は、トラッキングループにおいて実装され、
前記トラッキングループは、別の信号の位相および周波数、位相、周波数を追跡するために、前記発振信号の位相および周波数、位相、周波数を調整する請求項３１の装置。
【請求項４３】
前記別の信号は、受信信号から回復されるクロック信号を具備する請求項４２の装置。
【請求項４４】
前記発振信号に基づいて超広帯域パルスからデータを回復するための手段をさらに具備する請求項３１の装置。
【請求項４５】
前記超広帯域パルスは、約２０％以上の部分的な帯域幅、約５００ＭＨｚ以上の帯域幅、または約２０％以上の部分的な帯域幅かつ約５００ＭＨｚ以上の帯域幅に関連する請求項４４の装置。
【請求項４６】
信号を提供するコンピュータプログラム製品であって、
少なくとも１つのコンピュータによって、
発振信号を提供し、
制御信号に基づいて、キャパシタンス、インダクタンス、またはキャパシタンスおよびインダクタンスの可変量を前記発振回路に接続し、
前記発振信号の周波数における一時的な変更を引き起こすために、前記制御信号を第１信号値から第２信号値に一時的に変化させること、を実行可能なコードを具備するコンピュータ読み取り可能な媒体を具備するコンピュータプログラム製品。
【請求項４７】
発振信号を提供する発振回路と、
制御信号に基づいて、キャパシタンス、インダクタンス、またはキャパシタンスおよびインダクタンスの可変量を前記発振回路に接続するリアクタンス回路と、
前記発振信号の周波数における一時的な変更を引き起こすために、前記制御信号を第１信号値から第２信号値に一時的に変化させる制御回路と、
前記発振信号の利用を通じて提供されるデータに基づいてオーディオ出力を提供する変換器と、を具備するヘッドセット。
【請求項４８】
発振信号を提供する発振回路と、
制御信号に基づいて、キャパシタンス、インダクタンス、またはキャパシタンスおよびインダクタンスの可変量を前記発振回路に接続するリアクタンス回路と、
前記発振信号の周波数における一時的な変更を引き起こすために、前記制御信号を第１信号値から第２信号値に一時的に変化させる制御回路と、
前記発振信号の利用を通じて提供されるデータに基づいて指示を提供するユーザインタフェースと、を具備する時計。
【請求項４９】
無線通信に関する検出デバイスであって、
発振信号を提供する発振回路と、
制御信号に基づいて、キャパシタンス、インダクタンス、またはキャパシタンスおよびインダクタンスの可変量を前記発振回路に接続するリアクタンス回路と、
前記発振信号の周波数における一時的な変更を引き起こすために、前記制御信号を第１信号値から第２信号値に一時的に変化させる制御回路と、
前記発振信号の利用を通じて送信されるべきデータを提供するセンサと、を具備する検出デバイス。
【発明の詳細な説明】
【技術分野】
【０００１】
本出願は、データ通信に関し、より一般的に、調整可能な位相および／または周波数を備えるクロック信号のような信号を生成し、別の信号を追跡（track）する信号を生成することに関するが、これに限らない。  
本出願は、いずれの開示もここで参照することによりここに組み込まれる、２００７年９月２１日に同時に出願され、共に所有されている、「ＳＩＧＮＡＬ  ＧＥＮＥＲＡＴＯＲ  ＷＩＴＨ  ＡＤＪＵＳＴＡＢＬＥ  ＰＨＡＳＥ」と題された米国特許出願番号１１／８５９，３３５と、「ＳＩＧＮＡＬ  ＧＥＮＥＲＡＴＯＲ  ＷＩＴＨ  ＳＩＧＮＡＬ  ＴＲＡＣＫＩＮＧ」と題された米国特許出願番号１１／８５９，３５４とに関連する。
【背景技術】
【０００２】
いくつかのアプリケーションでは、通信システムは、信号の位相および周波数がある程度まで調整可能である信号を生成してもよい。例えば、典型的な受信機は、受信信号からデータを回復するためにクロック信号を用いてもよい。この場合、データが受信信号から回復される精度を改善するために、クロック信号の位相および周波数を、受信信号の位相および周波数と同期してもよい。加えて、いくつかのシステムは、異なる位相が異なる時間および／または異なる回路で用いられてもよい場合、多相クロックを採用してもよい。
【０００３】
実際には、例えば、複雑さ、電力消費およびコストに関して所望されないトレードオフが、所望の周波数および位相品質を有する信号を提供するためになされる必要があるかもしれない。一例として、超広帯域通信システムは、関連したトランシーバコンポーネントの所要電力を削減するために、高いレベルのデューティサイクルおよび極めて狭いパルスを採用してもよい。ここで、受信データが回復される有効性は、受信パルスのタイミングの適切なトラッキングに部分的に依存する。しかし、比較的狭いパルス幅の利用の結果、追跡性能の十分なレベルを提供する同期および追跡構造は、望ましくないことに複雑かもしれない。例えば、いくつかの実装では、同期および追跡回路は、適切な周波数および／または位相（例えば、多相システムにおける異なるクロック位相）により信号を生成するために、位相ロックループまたは電圧制御発振回路のいくつかの形式を含んでもよい。
【０００４】
加えて、いくつかの実装では、同期および追跡回路は、高周波発振器、高周波位相ロックループ（“ＰＬＬ”）または遅延ロックループ（“ＤＬＬ”）を含んでもよい。
【０００５】
この場合、ＰＬＬ／ＤＬＬの動作周波数は、トラッキングおよび取得制御信号のために十分な解像度を提供するように選択されてもよい。
【０００６】
実際には、上記手法は比較的複雑であるかもしれず、比較的大電力を消費するかもしれない。従って、これらの手法は、多くのアプリケーションに関して不適切かもしれない。
【発明の概要】
【０００７】
本開示の見本態様の概要が次に続く。用語「態様」へのいずれの参照は、本開示の１以上の態様をここに参照してもよいことを理解すべきである。
【０００８】
本開示は、いくつかの態様において、比較的低複雑性のシステムのための信号生成スキームに関する。上記のシステムは、例えば、超広帯域アプリケーションを採用してもよい受信機を含んでもよい。
【０００９】
本開示は、いくつかの態様において、各信号の位相および／または周波数が調整されてもよい、１以上の信号を生成する回路に関する。例えば、いくつかの実装は、比較的低複雑性の調節可能な多相クロック発生器に関する。ここで、クロック発生器は、関連したデバイス（例えば、受信機）によって処理されたパルスのパルス繰り返し周波数に近い動作周波数を有する低周波数発振器を採用してもよい。同様に、いくつかの実装は、回路によって処理されるパルスのパルス繰り返し周波数に近い動作周波数を有する発信器を採用する比較的低複雑性の同期および追跡回路に関する。
【００１０】
好都合に、そのような回路を組み込むデバイスは、それほど複雑でなくてもよく、少ない電力を消費してもよく、ＰＬＬまたはＤＬＬのような従来の計測スキームを採用するデバイスより低い実装コストであってもよい。そのような回路は、デバイスにとって、比較的サイズが小さく、極めて低い電力消費を有し、極めて低コストを有することが高く望まれるかもしれない超広帯域のようなアプリケーションにおいて特に好都合かもしれない。
【００１１】
いくつかの態様では、信号発生器は、調整可能な位相出力信号を生成し、出力信号の位相は調整可能な閾（threshold）（例えば、調整可能な参照信号）と発振信号との比較に基づく。この場合、閾の調整は、出力信号の位相の対応する調整をもたらす。例えば、いくつかの実装では、調整可能な閾は、発振信号がトランジスタ回路の入力として提供され、トランジスタ回路の出力が出力信号を提供する場合、トランジスタ回路に関する調整可能なバイアス信号を含む。上記の手法は、１以上の調節可能な多相クロックを提供するために、１以上の信号発生回路に採用されてもよい。
【００１２】
いくつかの態様では、信号発生器は、出力信号の位相および／または周波数が、発振信号の周波数を一時的に調整することによって調整される場合に出力信号を生成する。例えば、いくつかの実装では、発振信号の周波数は、出力信号の位相におけるわずかな変更（例えば、スキュー）をもたらすために短期間に調整される。加えて、いくつかの実装では、発振信号の周波数は、２つのベースライン周波数値の間に位置する有効周波数を有する出力信号を提供するために反復される手法で、一時的に調整される。いくつかの態様では、発振信号の周波数は、発振回路に１以上のリアクタンス回路を選択的に接続することによって、および／または、１以上のリアクタンス回路のリアクタンスを変更することによって調整される。
【００１３】
いくつかの態様では、１以上の出力信号の位相および周波数は、１以上の入力信号を追跡するために調整される。ここで、少なくとも１つの制御信号は、出力信号が導き出される発振信号の周波数を制御するために調整される。加えて、各出力信号の位相は、関連した調整可能な閾と発振信号との比較に基づいて調整される。
【図面の簡単な説明】
【００１４】
本開示のこれらおよび他の特徴、態様および利点は、以下の詳細な説明、添付されたクレームおよび添付された図面に関して考慮されるとき、より完全に理解されるだろう。
【００１５】
慣行に従って、図面において示された様々な機能は、一定の縮尺で描かれなくてもよい。従って、様々な特徴の規模は、明確さのために任意に拡大してもよいし縮小されてもよい。加えて、図面のいくつかは、明確さのために単純化されてもよい。従って、図面は、任意の装置（例えば、デバイス）または方法のコンポーネントのすべてを描かなくてもよい。最終的には、参照数字などは、明細書および図面全体にわたる機能などを意味するために用いられてもよい。
【図１】無線通信システムのいくつかの見本態様の単純化されたブロック図。
【図２】多相信号を提供するように構成される信号発生回路のいくつかの見本態様の略図。
【図３】多相信号がどのように提供されるかの一例を示す単純化されたタイミング図。
【図４】多相信号を提供するように構成された信号発生回路のいくつかの見本態様の略図。
【図５】複数の多相信号を提供するように構成された信号発生回路のいくつかの見本態様の略図。
【図６】少なくとも１つの多相信号を提供するために行なわれてもよい動作のいくつかの見本態様のフローチャート。
【図７】調整可能な位相および／または周波数信号を提供するように構成された信号発生回路のいくつかの見本態様の略図。
【図８】調整可能な位相および／または周波数信号を提供するように構成された信号発生回路のいくつかの見本態様の略図。
【図９】信号の位相をスキューするためにおこなわれてもよい動作のいくつかの見本態様のフローチャート。
【図１０】信号の位相の見本スキューを示す単純化されたタイミング図。
【図１１】信号の有効周波数を調整するために行なわれてもよい動作のいくつかの見本態様のフローチャート。
【図１２】信号の有効周波数の見本調整を示す単純化されたタイミング図。
【図１３】位相信号からの見本を示す単純化されたタイミング図。
【図１４】トラッキングループのいくつかの見本態様の単純化されたブロック図。
【図１５】トラッキングループ回路のいくつかの見本態様の単純化されたブロック図。
【図１６】少なくとも１つの信号を追跡するために行なわれてもよい動作のいくつかの見本態様のフローチャート。
【図１７】通信システムのいくつかの見本態様の単純化されたブロック図。
【図１８】通信コンポーネントのいくつかの見本態様の単純化されたブロック図。
【図１９】ここで教示されるような１以上の信号を提供するように構成された装置のいくつかの見本態様の単純化されたブロック図。
【図２０】ここで教示されるような１以上の信号を提供するように構成された装置のいくつかの見本態様の単純化されたブロック図。
【図２１】ここで教示されるような１以上の信号を提供するように構成された装置のいくつかの見本態様の単純化されたブロック図。
【発明を実施するための形態】
【００１６】
本開示の様々な態様は以下に記述される。ここでの教示が幅広い種類の形式で具現化されてもよく、ここに開示された任意の特定構造、機能、または両方が単に表現するものであることを明らかにすべきである。ここでの教示に基づいて、当業者は、ここに開示された態様を任意の他の態様とは独立して実装してもよく、これらの態様の２以上を様々な方法で組み合わせてもよいことを理解すべきである。例えば、ここに説明される多くの態様を用いて、方法を実施してもよく、または、装置を実装してもよい。加えて、ここに説明される１以上の態様以外または１以上の態様に加えて、他の構造、機能、また構造および機能を用いて、方法を実施してもよく、または、装置を実装してもよい。上の例として、いくつかの態様では、装置は、調整可能な位相を有する出力信号を提供するために、発振信号と調整可能な閾とを比較するように構成された比較器を含んでもよい。加えて、いくつかの態様では、そのような比較器は、別の信号を追跡する信号を提供するための装置に実装されてもよい。
【００１７】
図１は、無線デバイス１０２が無線デバイス１０４と通信する通信システム１００のいくつかの見本態様を示す。特に、図１は、デバイス１０４の受信経路のいくつかのコンポーネント１１０および１１２、デバイス１０２の送信経路のいくつかのコンポーネント１０６および１０８を示す。
【００１８】
信号の送信および受信と共に、デバイス１０２および１０４は、調整可能な周波数および／または位相を有する信号を生成してもよい。例えば、デバイス１０２は、１以上の調整可能な位相クロック信号を生成するクロック発生器１１４を採用してもよい。そのような信号は、例えば、デバイス１０２の送信経路を通るデータフローを同期させるために用いられてもよい。
【００１９】
デバイス１０４の受信経路は、同じようなクロック発生器１１６を用いてもよい。ここで、クロック発生器１１６は、受信信号をマスター受信クロックと同期させるために用いられてもよい１以上の多相クロック信号を生成してもよい。例えば、双方向通信中に、送信機マスタクロックおよび受信機マスタクロックは、時間調整されないかもしれない。従って、より詳細に以下に議論されるように、調整可能な周波数／位相クロック発生器１１６は、周波数および位相において受信データ信号と同期した受信クロック信号を提供するために、同期および追跡回路１１８に採用されてもよい。
【００２０】
クロック発生器１１６によって提供される多相クロック信号はまた、信号取得手続きの間に用いられてもよい。例えば、調整可能な位相信号は、受信クロック信号に関する正しい位相オフセットを見つけるために、サーチアルゴリズムと共に（例えば、仮説検定の間に）採用されてもよい。ここで、受信信号の位相が既知でなくてもよいことを理解すべきである。それゆえ、デバイス１０４は、比較的小さなステップにおいて受信クロック信号の位相を調整してもよく、それによって、各位相値では、デバイスは受信信号を自動追跡（lock onto）することを試みる。より詳細に以下で議論されるように、ここに教示されるようなクロック発生器は、一連の位相オフセットを提供するための効率的なメカニズムを提供してもよい。
【００２１】
また、いくつかの実装では、無線デバイス（例えば、デバイス１０２または１０４）は、各無線デバイスのマスタクロックの位相が異なるかもしれない複数の無線デバイスから受信していてもよいし、複数の無線デバイスに送信していてもよい。ここで、複数の無線デバイスに関連した異なるクロック位相と一致するローカルクロックの位相を即座に切り替えることは、望ましいかもしれない。例えば、デバイス１０４は、ある無線デバイスから受信する際に、あるローカル位相を選択し、別の無線デバイスから受信する際に、別のローカル位相を選択してもよい。より詳細に以下で議論されるように、ここに教示されるようなクロック発生器は、複数のクロック位相を提供するための効率的なメカニズムを提供してもよい。
【００２２】
上記のことを考慮して、いくつかの信号発生装置および動作見本は、ここにより詳細に扱われるだろう。以下に記述された特定のコンポーネントおよび動作が、例証目的のために提供され、ここでの教示に従って構成された装置が他のコンポーネントを採用されてもよく、他の種類の動作と共に用いられてもよいことを理解すべきである。
【００２３】
図２は、調整可能な位相を有する少なくとも１つの出力信号を発生するように構成されてもよい信号発生回路２００（例えば、クロック発生器）の見本態様を示す。具体的には、回路２００は、出力信号Φ１−ΦＮによって表わされるような１以上のブランチで出力信号を提供してもよい。ここで、各ブランチは、それぞれ２０２Ａ−２０２Ｎと指定された調整可能な位相回路を含む。
【００２４】
図２に示されるように、いくつかの実装では、信号発生器は比較的単純な発振回路を用いて実装されてもよい。例えば、発振回路は、バッファ、高品質アンプまたはいくつかの他の適切なデバイス２０６と平行に接続される水晶発振器２０４を含んでもよい。
【００２５】
いくつかの実装では、デバイス２０６はインバータを含む。発振回路は、図２におけるΦ０と指定された出力信号（例えば、方形波クロック信号）を生成する。
【００２６】
いくつかの実装では、ここに教示されるような発振回路（例えば、発振器２０４およびインバータ２０６を含む回路）は、比較的高いＱ値（quality factor）（一般に、回路の「Ｑ」と呼ばれる）があってもよい。いくつかの態様では、高いＱ信号は、実質的に高調波成分がないかもしれない（例えば、信号は実質的に単調である）。その結果として、そのような信号が実質的にジッタがないかもしれないので、（以下で説明されるように）位相において比較的正確な変更は、高いＱ信号の利用を通じて得られてもよい。いくつかの実装では、発振回路のＱ値は約１０以上でもよい。
【００２７】
回路２０２Ａ−２０２Ｎによって生成された出力信号Φ１−ΦＮの位相は、制御信号ＶＣ１−ＶＣＮによってそれぞれスキューされる。従って、出力信号Φ１−ΦＮのある１つの位相は、任意の他の出力信号の位相とは無関係に設定されてもよい。加えて、出力信号Φ１−ΦＮの位相は、発振回路の出力信号Φ０の位相とは異なってもよい。
【００２８】
図３は、単純化されたやり方で、制御信号ＶＣ１−ＶＣＮと出力信号Φ０−ΦＮとの見本関係を示すいくつかの波形を描く。一番上の波形は、発振器２０４によって生成され、回路２０２Ａ−２０２Ｎの入力に提供される正弦関数のような信号Ａを示す。一番上の波形はまた、横線３０２Ａ、３０２Ｂおよび３０２Ｎによって表わされるようないくつかの見本判定レベルを描く。
【００２９】
次の下の波形は、単純化された形式における、出力信号Φ０を示す。この波形はまた、（例えば、縦線３０４Ａによって表わされるような）出力信号Φ０が最低値から最高値まで、または逆に推移する時が、デバイス２０６の判定レベルに基づくことを示す。この例では、この判定レベルは横線３０２Ａによって表わされる。言いかえれば、入力信号Ａが判定レベル３０２Ａと交差する場合はいつでも、デバイス２０６は出力信号Φ０で推移が発生する。
【００３０】
出力信号Φ１に関する波形は、この信号が、入力信号Ａが異なる判定レベル（例えば、判定レベル３０２Ｂ）と交差するときに、推移することになっていることを示す。この判定ポイントは縦線３０４Ｂによって表わされる。この場合、制御信号ＶＣ１の値は、回路２０２Ａの判定レベルを制御する。判定レベルの変更は、順番に、回路２０２Ａのインバータを遅かれ早かれトリガーさせる。
【００３１】
同じやり方で、出力信号ΦＮの波形は、この信号が入力信号Ａがさらに別の判定レベル（例えば、判定レベル３０２Ｎ）と交差するときに、推移することになっていることを示す。この判定ポイントは、縦線３０４Ｎによって表わされる。ここで、制御信号ＶＣＮの値は、回路２０２Ｎの判定レベルを制御する。
【００３２】
調整可能な位相回路（例えば、回路２０２Ａおよび２０２Ｎ）は様々な方法で実装されてもよい。例えば、調整可能な位相回路は、入力信号（例えば、入力信号Ａ）のレベルと調整可能な閾（例えば、調整可能な参照信号）とを比較する比較器を含んでもよい。上記の比較器は、例えば、調整可能な判定閾を有するバッファ（例えば、インバータ）、調整可能なバイアスを有するトランジスタ回路、演算増幅器、または閾が切り替え判定を制御するために用いられる場合、入力信号のレベルに基づく切り替え判定をするいくつかの他の回路を含む、様々な形式をとってもよい。
【００３３】
図４は、制御信号ＶＣの形式における調整可能な閾が、トランジスタ回路４００（例えば、インバータ）の出力信号ΦＮの位相を制御する例を示す。この例において、制御信号ＶＣは、トランジスタ回路４００のバイアスレベルを制御するために、トランジスタ４０４Ａおよび４０４Ｂのゲートに抵抗器４０２を経て接続される。トランジスタ回路４００のバイアスのレベルは、順に、トランジスタ回路４００の切り替え判定レベルを決定する。それゆえ、図３に示されるような同じやり方で、入力信号Ａが、この判定レベルと交差するとき、トランジスタ回路４００は、出力信号ΦＮの推移を提供する。
【００３４】
図４に示すように、いくつかの実装では、発振回路からの信号（例えば、入力信号Ａ）は、容量性素子（例えば、キャパシタ）４０６を経てトランジスタ４０４Ａおよび４０４ＢのゲートにＡＣ接続される。このように、発振回路は、トランジスタ回路４００から分離されてもよく、それにより、トランジスタ回路４００による発振回路のいかなる潜在的な負荷（loading）も低減する。
【００３５】
図５を参照すると、いくつかの実装において、信号発生器５００は、信号発生器５００に関する１以上の出力信号位相を定義するために、ルックアップテーブルまたは（例えば、データメモリに記憶された）いくつかの他の適したデータ構造５０４を組み込むか、そうでなければアクセスできる閾回路５０２を含んでいてもよい。例えば、ルックアップテーブル５０４は、１以上の位相エントリΔΦ−ＮΔΦに関連してもよい１以上の閾値（threshold value）（例えば、制御電圧エントリＶＣ１−ＶＣＮ）を代表する情報を含んでもよい。ここで、特定の制御電圧の選択は、シンボルΔΦによって表わされるような所望の位相シフトを提供してもよい。記憶された情報は、様々な形式をとってもよい。例えば、いくつかの実装では、記憶された情報は、閾の実効値を含んでもよい。他の実装では、記憶された情報は、（例えば、ルックアップテーブル５０４において隣接値に関連する）オフセット値を含んでもよい。
【００３６】
図５の例では、発振回路５０６は、１以上の位相調整器５０８Ａ−５０８Ｎ（まとめて“位相調整器５０８”）により遅れた位相である（例えば、図２における信号Ａと同様の）発振信号を生成する。この場合、位相調整器５０８のそれぞれによって生成された出力信号（例えば、出力信号Φ１−ΦＮ）の位相は、ルックアップテーブル５０４の１以上のエントリに基づいて制御されてもよい。
【００３７】
ルックアップテーブル５０４または他の似たような構造は、あるデバイスが実際に複数のデバイスと同時に通信してもよい場合、実装に有利に採用されてもよい。例えば、いくつかの実装では、超広帯域受信機は、各パルスストリームが比較的高いパルス間デューティサイクリングを採用する場合、異なる複数の送信機からパルスストリームを同時に受信してもよい。この場合、受信機は、異なる複数の送信機によって送信されたパルスを回復するために、（例えば、パルスごとを基準で）異なるパルスストリーム間で絶えず切り替えてもよい。従って、受信機は、ルックアップテーブル５０４にパルスストリームのそれぞれのために位相情報を記憶してもよく、受信機がパルスストリームのうちの任意の１つからパルスを受信することを決定する場合はいつでも、エントリのうちの１つにアクセスしてもよい。
【００３８】
ルックアップテーブル５０４は、様々な方法で実装されてもよい。例えば、いくつかの実装では、ルックアップテーブル５０４はＩ／Ｏレジスタを含んでもよく、それによって特定のレジスタアドレスの選択が任意の信号レベルを出力するＩ／Ｏレジスタをもたらす。あるいは、いくつかの実装では、ルックアップテーブル情報は、データメモリに単に記憶されてもよい。この場合、位相調整器５０８のそれぞれは、位相調整器の位相を設定するために、ルックアップテーブル５０４からの適切な値で構成されてもよい。
【００３９】
いくつかの実装では、ルックアップテーブル５０４におけるエントリは、ルックアップテーブル５０４に置かれるべき値を決定する制御回路によって提供されてもよい。例えば、回路５００がトラッキングループに組み込まれる実装において、トラッキングループが任意の信号を同期させる場合、トラッキングループは、トラッキングループが同期した特定の信号に関連するルックアップテーブル５０４の中にエントリを置いてもよい。このように、トラッキングループがその信号と再度同期する必要がある場合、トラッキングループは、ルックアップテーブル５０４に記憶された対応する値を参照してもよい。
【００４０】
いくつかの実装において、ルックアップテーブル５０４は、制御電圧エントリうちのいずれかを位相調整器５０８のいずれかに提供するように構成されてもよい。例えば、位相調整器５０８Ａは、任意の制御電圧ＶＣ１−ＶＣＮを用いるように構成されてもよい。
【００４１】
同様に、位相調整器５０８Ｎは、任意の制御電圧ＶＣ１−ＶＣＮを用いるように構成されてもよい。
【００４２】
いくつかの実装において、ルックアップテーブル５０４は、複数の制御電圧エントリのうちの特定の１つを複数の位相調整器５０８のうちの対応する１つに提供するように構成されてもよい。例えば、制御電圧ＶＣＮは位相調整器５０８Ｎに提供されていてもよい一方、制御電圧ＶＣ１は位相調整器５０８Ａに提供されてもよい。例えば、そのような実装は、出力信号Φ１−ΦＮが多相クロックバスの各あし（each leg）を含む多相クロックバスを提供するために用いられてもよい。
【００４３】
上記のことを考慮して、信号発生器が様々なアプリケーションに採用されてもよいことを理解すべきである。例えば、単一の調整可能な位相ブランチ（例えば、Φ１）を採用する信号発生器は、クロック信号を生成するために用いられてもよく、それによって、クロック信号の位相は、必要なときに、制御電圧ＶＣ１を調整することにより選択的にスキューされてもよい。また、各信号が制御電圧ＶＣ１−ＶＣＮのそれぞれ１つによって定義されるような異なる位相を有する場合、いくつかの位相ブランチ（例えば、Φ１−ΦＮ、ここでＮは位相ブランチ数）を用いる信号発生器は、いくつかの信号を提供してもよい。
【００４４】
上述したように、そのような構成は、多相クロックバスを提供するために採用されてもよい。
【００４５】
信号発生器（例えば、回路２００）の見本動作は図６のフローチャートと共にここに記述されるだろう。便宜上、図６の動作（または、ここに教示されまたは議論された任意の他の動作）は、特定のコンポーネント（例えば、回路２００）によっておこなわれるとして記述されてもよい。しかし、これらの動作が、他の種類のコンポーネントによっておこなわれてもよく、異なる数のコンポーネントを用いておこなわれてもよいことを理解すべきである。ここに記述された動作の１以上が、任意の実装に採用されなくてもよいこともまた理解すべきである。
【００４６】
ブロック６０２によって表わされるように、信号発生器は、１以上の出力信号の位相をスキューするために用いられる、１以上の調整可能な閾（例えば、参照信号）を定義するために、１以上の閾値または他の適する情報（例えば、制御電圧）を選択的に定義してもよい。ブロック６０４では、信号発生器は発振信号を提供する。この発振信号は、例えば、図２の入力信号Ａを含んでもよい。出力信号発生器（例えば、比較器）は、１以上の出力信号を提供するために、発振信号と調整可能な１以上の閾とを比較する（ブロック６０６）。
【００４７】
ブロック６０８では、ある時点で、閾発生器（例えば、回路５０２）は、閾を調整するために１以上の新たな閾値を選択してもよい。従って、ブロック６１０では、各出力信号の位相は対応する閾の調整の結果としてスキューされる。ブロック６１２によって表わされるように、各出力信号はその後、所望の信号処理を提供するために対応する回路に採用されてもよい。例えば、いくつかの実装において以下により詳細に議論されるように、出力信号は、受信信号からデータを回復するために用いられるクロック信号を含んでもよい。
【００４８】
ここで図７および８を参照して、いくつかの態様において、発振回路によって生成された信号の周波数は、発振回路に接続されるリアクタンス回路を再構成することにより変更されてもよい。例えば、制御回路は、キャパシタンスおよび／または発振回路のインダクタンスを動的に変更し、それによって発振回路の動作周波数を変更するように構成されてもよい。図７は、１以上のリアクタンス素子が、発振回路のインダクタンスおよび／またはキャパシタンスにおける変更を引き起こすために、発振回路に選択的に接続される、または発振回路から選択的に切り離されてもよい例を示す。反対に、図８は、リアクタンス素子が発振回路に接続され、これらのコンポーネントのそれぞれのリアクタンスが、発振回路のインダクタンスおよび／またはキャパシタンスの変更を引き起こすために調整されてもよい例を示す。
【００４９】
図７では、制御信号発生器７０２を含む制御回路は、（例えば、破線７０４によって表されるような）リアクタンス回路の１以上のスイッチ７０６を制御してもよく、スイッチ７０６は発振回路７０８に可変リアクタンスを選択的に接続するのに適する。例えば、リアクタンス回路は、１以上の容量性素子（例えば、キャパシタ）７１０、１以上の誘導性素子（例えば、インダクタ）７１２、または１以上の容量性素子７１０と１以上の誘導性素子７１２との組合せを含んでもよい。ここで、各スイッチ７０６は、リアクタンス回路の電気信号経路を選択的に作成しまたは切断するために、制御信号７０４によって制御されてもよいトランジスタまたはいくつかの他の適するデバイスを含んでもよい。
【００５０】
図８では、制御信号発生器８０２を含む制御回路は、（例えば、破線８０４によって表わされるように）発振回路８０６に接続される可変リアクタンスコンポーネントの制御入力を駆動してもよい。図８における点線８０８によって表わされるように、いくつかの実装では、可変リアクタンスコンポーネントは、１以上の可変容量性素子８１０、１以上の可変誘導性素子８１２、または１以上の可変容量性素子８１０と１以上の可変誘導性素子８１２との組合せを含んでもよい。この場合、制御信号の大きさまたはいくつかの他の特性は、各調整可能な容量性素子または調整可能な誘導性素子の内部回路に影響してもよく、交代でそれぞれ調整可能な容量性素子または調整可能な誘導性素子の実効キャパシタンスまたはインダクタンスにおいて対応する変更を引き起こしてもよい。
【００５１】
ある態様では、発振回路によって生成された発振信号の位相および／または周波数は、発振回路に関連するリアクタンス回路を一時的に再構成することによって調整されてもよい。例えば、リアクタンス回路の構成を制御する制御信号は、比較的素早くトグルされてもよく、それによって、発振回路のインダクタンスおよび／またキャパシタンスにおいて一時的な変更を引き起こしてもよい。回路のリアクタンスにおけるこの一時的な変更は、次には、発振信号の周波数における一時的な変更につながる。
【００５２】
ここで、図９−１２を参照すると、信号発生器は、発振信号の周波数または位相を変更するために周波数における一時的な変更を採用してもよい。特に、図９は、例えば図１０に示されるような、信号の周波数を一時的に変更することにより、信号の位相を変更するために採用されてもよいいくつかの見本動作を記述する。図１１は、例えば図１２に示されるような、信号の周波数における一時的な変更を繰り返し引き起こすことにより、信号の周波数を変更するために採用されてもよいいくつかの見本動作を記述する。
【００５３】
図９を最初に参照すると、ブロック９０２および９０４によって表わされるように、発振回路は、１以上の再構成可能なリアクタンス素子に接続されてもよく、それによって、発振回路による発振信号出力の周波数がリアクタンス素子を再構成することによって変更されてもよい。一例として、発振回路は、図７または図８に示されたように構成されてもよく、それによって、発振出力信号の周波数は、１以上の制御信号の利用を通じて制御される。
【００５４】
ブロック９０６によって表されるように、制御信号における一時的な変更は、出力信号の位相における所望の変更を提供するために定義されてもよい。例えば、制御信号は、元の値（original value）に最初に設定され、その後、比較的短期間で別の値に変更され、その後、元の値に戻すように変更されてもよい。ブロック９０８によって表されるように、制御信号におけるこの一時的な変更は、順に、出力信号のタイミングのシフトをもたらす発振回路の周波数における一時的な変更を引き起こす。
【００５５】
そのような位相シフト操作の単純化されたタイミング図は、図１０に示される。期間１００２および１００４の比較によって図示されるように、制御信号の大きさの変更が発振信号の周波数において対応する変更を引き起こしたということが観測されてもよい。その結果、制御信号がその元の値に戻された後、発振信号の位相は、発振信号の元の位相に応じて調整されている（すなわち、この例では遅れている）。
【００５６】
図１０の例では、制御信号は、発振信号の期間未満である期間に関して調整される。しかし、他のシナリオにおいて、制御信号の値が、図１０に図示されるよりも長い期間または短い期間（例えば、数サイクル以下）に関して調整されてもよいことを理解すべきである。
【００５７】
ここで図１１を参照すると、いくつかの実装では、１以上の制御信号が、発振信号の有効周波数を調整するために反復される手法で一時的に変更されてもよい。例えば、そのような実装は、別なやり方で発振回路によって提供されてもよい、２つの離れた（例えば、ベースライン）周波数値の間に位置する有効周波数を有する発振信号を提供するために採用されてもよい。例えば、ブロック１１０２および１１０４によって表わされるように、発振回路は、１以上の再構成可能なリアクタンス素子に接続されてもよく、それによって、上で議論したように、発振回路による発振信号出力の周波数がリアクタンス素子を再構成することによって変更されてもよい。しかし、いくつかの場合では、リアクタンスは、離れたステップで通常変更してもよい。例えば、スイッチ７０６の動作に基づいた図７の回路では、動作周波数は、ある離散周波数値から別の離散周波数値に変更してもよい。しかし、いくつかのシナリオでは、これらの離散周波数値の間に位置する動作周波数を提供することが望ましいかもしれない。
【００５８】
それゆえ、図１１のブロック１１０６によって表わされるように、制御信号における一連の一時的な変更は、出力信号の周波数における所望の変更を提供するために定義されてもよい。例えば、ブロック１１０８では、制御信号は、比較的高速で２以上の値の間で繰り返し切り替えられてもよい。その結果、出力信号の周波数は、ある瞬時周波数から別の瞬時周波数まで繰り返し切り替えられてもよく、そこでは、瞬時周波数は制御信号値に基づく。それゆえ、出力信号の周波数におけるこれらの一時的な変更は、上記の瞬時周波数間のどこかに位置する有効周波数を有する出力信号を提供してもよい。
【００５９】
そのような周波数シフト操作の単純化されたタイミング図は、図１２に描かれる。ここで、波形１２０２は、制御信号１２０６の１つの値（例えば、高い値）に関連した瞬時周波数を示す。反対に、波形１２０４は、制御信号１２０６の別の値（例えば、低い値）に関連した瞬時周波数を示す。
【００６０】
（概念的形式で描かれた）出力信号に対応する波形１２０８は、制御信号１２０６のデューティサイクリングの結果として、出力信号１２０８の有効（例えば、平均）周波数が波形１２０２の周波数より大きく、波形１２０４の周波数より小さくてもよいことを示す。
【００６１】
この例において、制御信号１２０６のデューティサイクルは５０％である。しかし、異なるデューティサイクルが出力信号での異なる周波数を実現するために採用されてもよいことを理解すべきである。
【００６２】
図１２は、波形１２０８が若干のジッタ（例えば、多重線の利用によって表わされるように）を有してもよいことを示す。しかし、そのようなジッタは、例えばいくつかの実装におけるトラッキングループのような、ある種類の回路の動作に重大な影響を与えないかもしれない。
【００６３】
一般に、出力信号の周波数におけるどんな所望の変更も、制御信号が異なる値の間で切り替えられるレートを制御すること、および、これらの値のそれぞれに関連した対応するデューティサイクルを制御することによって実現されてもよい。図１２の例では、制御信号の値は、それぞれ入力信号の期間未満である期間にあわせて調整される。他のシナリオにおいて、制御信号の値が、図１２に図示されるよりも長い期間または短い期間（例えば、数サイクル以下）に関して調整されてもよいことを理解すべきである。
【００６４】
上記から出力信号の位相および／または周波数が、リアクタンスコンポーネントの値および数量の適切な選択を通じた所望量によって、調整されてもよいことを理解すべきである。加えて、出力信号の周波数および／または位相の変更の大きさは、制御信号の適切な制御を通じて動的に制御されてもよい。言いかえれば、出力信号の周波数および／または位相は、リアクタンス素子が時間内のある点でまたは期間後に再構成されるやり方（例えば、図７においてスイッチがどのように開かれるか閉じられるか、または、図８において制御信号の値がどのように調整されるか）に依存する。
【００６５】
様々な修正が、ここでの教示に基づいて図７および８の回路になされてもよいことを理解すべきである。例えば、リアクタンスコンポーネントは、（例えば、グラウンド以外の）他の電圧点に切り替えられてもよい。加えて、ある実装で用いられるリアクタンスコンポーネントの異なる数があってもよい。例えば、３つのキャパシタを用いる実装では、第１キャパシタは動作周波数を増加させるために用いられてもよく、第２キャパシタは動作周波数を減少させるために用いられてもよく、一方、第３キャパシタは公称周波数を提供するために用いられていてもよい。また、リアクタンス素子の値は、回路が、生成された信号の不正確を補償するために発振器周波数における増減に関する適した増加レベルを提供することを保証するために選択されてもよい。
【００６６】
いくつかの実装では、制御信号（例えば、参照信号）の値に関する情報のセットは、図７および８に記述されたもののような、１以上の回路に関する位相または周波数を特定するために用いられてもよい。制御回路７０２および８０２はその後、リアクタンス素子を制御するためにこの情報にアクセスしてもよい。そのような情報のセットは、例えば、上で議論された表５０４のように似たようなやり方で、実装され用いられてもよい。いくつかの実装では、値のセットは、ある発振回路に関する特定周波数および／または位相（例えば、１つの出力信号）を定義してもよい。いくつかの実装では、値のセットは、発振回路のセットに関する特定周波数および／または位相（例えば、いくつかの出力信号）を定義してもよい。いくつかの実装では、値のセットは、（例えば、表において隣接するエントリに関する）周波数および／または位相オフセットを定義してもよい。いくつかの実装では、値のセットは、時間ホッピングシーケンスおよび／または周波数ホッピングシーケンスに関する情報を定義してもよい。
【００６７】
いくつかの態様では、図７−１２の教示に従って構成する回路は、制御可能な周波数および位相を有する信号を提供するために用いられてもよい。例えば、第１制御スキームは、所望の周波数を提供する制御信号を生成するために採用されてもよく、第２制御スキームは、所望の位相シフトを提供する制御信号を生成するために（例えば、同時に）採用されてもよい。そのような回路はそれゆえ、例えば、入力信号の位相および周波数を追跡するトラッキングループにおいて用いられてもよい。
【００６８】
ここで図１３−１７を参照すると、本開示は、いくつかの態様において信号同期およびトラッキングに関する。例えば、上に記述された回路と動作とは、ある信号が同期され、別の信号を追跡するように、ある信号の位相および／または周波数を調整するために採用されてもよい。
【００６９】
図１３は、パルスに基づいた受信機（例えば、図１３に示されない超広帯域受信機）に関する単純化されたタイミング図を示す。ここで、受信パルス１３０２Ａと１３０２Ｂとは、比較的狭く、線１３０４によって表わされるようなパルス繰り返し区間（“ＰＲＩ”）で繰り返される。例えば、いくつかの実装では、各パルス１３０２の幅は、約１ナノセカンド以下（例えば、１００ピコセカンド）でもよく、一方、パルス繰り返し区間１３０４は、約１００ナノセカンドから１０マイクロセカンドでもよい。これらの数が単に代表的であり、あるパルスに基づいたシステムが異なるパルス幅および／またはパルス繰り返し区間を採用してもよいことを理解すべきである。
【００７０】
ＰＬＬに基づいたまたはＤＬＬに基づいた同期とトラッキング構成を採用する典型的な受信機は、パルス１３０２からデータを回復するために用いられる場合、受信機は、約数ギガヘルツでの仕様でコンポーネントおよび発振器を採用してもよい。実際には、この種類の構造は、比較的複雑かもしれないし、比較的大きな量の電力を消費するかもしれない。よって、この種類の受信機アーキテクチャは、低コストおよび／または定電力アプリケーションに関して望ましくないかもしれない。
【００７１】
対照的に、ここに教示されるような構造と動作との利用を通じて、比較的に低電力および低複雑の受信機は、（例えば、パルス１３０２のようなパルスに基づいた信号からの）データを回復するために提供されてもよい。好都合に、そのような受信機は、受信パルス１３０２からデータを回復するために、１／ＰＲＩの数倍（small multiple）または約１／ＰＲＩでの周波数を有するマスタクロック信号１３０６を利用してもよい。
【００７２】
最初に、位相シフトが受信パルス１３０２とマスタクロック１３０６との間に存在してもよいことが、図１３から観測されてもよい。一例として、線１３０８は、受信パルスのリーディングエッジとマスタクロック１３０６の立上りエッジとの間の位相シフトを示す。受信パルス１３０２からデータを効率的に回復するために、同期および追跡回路は、受信パルス１３０２と同期するクロック信号を生成するために採用されてもよい。
【００７３】
図１４は、基本的な動作観点から、１以上の入力クロックと同期し、追跡してもよい１以上の出力クロックを生成する回路１４００を示す。簡単に、誤差回路１４０２は、出力クロックの位相および周波数と入力クロックの位相および周波数とを比較する。これらのクロックの位相および／または周波数が異なる場合、誤差回路１４０２は、出力クロックを生成する制御可能なクロック発生器１４０４の位相および周波数を制御する１以上の誤差信号を生成する。
【００７４】
いくつかの態様では、回路１４００は、入力クロックから定義された位相および／または周波数差を有する出力クロックを生成するように構成されてもよい。この目的を達成するために、誤差回路１４０２は、位相および／または周波数における所望の差を特定する参照値の表を含んでもよく、そうでなければアクセスしてもよい。この場合、誤差回路１４０２は、誤差信号を生成するときに、これらの参照値を考慮に入れるだろう。
【００７５】
従って、参照値１４０６（例えば、ルックアップテーブル５０４と同様に）の適切な仕様を通じて、回路１４０２は、１以上の入力クロックに関する所望の周波数および／または位相を有する１以上の出力クロックを提供してもよい。また、回路１４０２は、参照値１４０６を変更することにより必要な場合は常に、ある信号の位相および／または周波数を変更してもよい。従って、回路１４００は、調節可能な多相クロックを提供してもよい。
【００７６】
ここで、図１５を参照して、図２−１２と共に上に記述された構造を採用してもよいトラッキングループ回路１５００の実装が示される。簡単に、回路１５００は、発振信号ＶＯＳＣを生成する制御可能な発振回路１５０２を含む。図７−１２と共に上で議論したように同様のやり方で、発振信号ＶＯＳＣの周波数は、制御信号１５０４のセット（例えば、１以上の信号ＣＳ１、ＣＳ２など）の動作によって調整されてもよい。回路１５００はまた、出力信号のセット（例えば、１以上の信号１５１２Ａ、１５１２Ｂなど）を生成する制御可能な位相調整回路１５０６を含み、ここで、これらの出力信号の位相は閾信号１５０８のセット（例えば、１以上の信号Ｖ１、Ｖ２など）の動作によって調整されてもよい。それゆえ、回路１５０６は、図２−６と共に上に記述された回路と同様であってもよい。
【００７７】
回路１５００はまた、出力信号１５１２（例えば信号１５１２Ａおよび１５１２Ｂ）のセットが入力信号１５１４のセットと同期して追跡するように、制御信号１５０４のセットと閾信号１５０８のセットとを調整する時間および周波数追跡回路１５１０を含む。一例として、回路１５１０は、ある入力信号１５１４を収縮するために、早い／遅い信号トラッキングを利用してもよい。図１５において省略で表わされるので、回路１５００は、実際は、入力信号１５１４、出力信号１５１２、制御信号１５０４および閾信号１５０８をいくつ含んでもよい。回路１５００の見本動作は、図１６のフローチャートと共により詳細に記述されるだろう。
【００７８】
ブロック１６０２によって表わされるように、回路１５０２は、制御信号１５０４のセットの電流値に基づく周波数を有する発振信号ＶＯＳＣを提供する。すなわち、図７−１２と共に上に議論したように、制御信号１５０４のセットは、スイッチのセット（例えば、１以上のスイッチＳ１、Ｓ２など）の動作を制御してもよい。スイッチのセットの動作は、順に、発振信号ＶＯＳＣの周波数を制御するために発振回路１５０２のリアクタンス（例えば、キャパシタンス）を制御する。
【００７９】
ブロック１６０４によって表わされるように、回路１５０６は、出力信号１５１２のセットを提供するために、発振信号ＶＯＳＣと調整可能な閾信号１５０８のセットとを比較する。図２−６と共に上で議論したように、デバイスのセット（例えばインバータ）１５１６は、出力信号１５１２のセットの１以上の位相を調整するために、閾信号１５０８のセット（例えば、バイアス信号）と発振信号ＶＯＳＣとを比較してもよい。
【００８０】
ブロック１６０６によって表わされるように、追跡回路１５１０は、出力信号１５１２のセットが入力信号１５１４のセットを追跡することを絶えず保証する。この目的を達成するために、トラッキングループは、出力信号１５１２のセットの周波数および／または位相を変更させる必要があるかどうか決定するために、出力信号１５１２のセットと入力信号１５１４のセットとを比較する。そうならば、追跡回路１５１０は、出力信号１５１２のセットが入力信号１５１４のセットを追跡できるように、（例えば、誤差信号に基づいて定義された）制御信号および／または閾信号に関して新しい値を定義する。
【００８１】
ブロック１６０８によって表わされるように、追跡回路１５１０はその後、水晶振動子の共振周波数を微調整するために、必要に応じて、制御信号１５０４のセットを調整してもよい。このようにして、低速周波数追跡メカニズムは、スイッチＳ１、Ｓ２などの位置を制御することにより、回路１５００に提供される。加えて、上で議論したように、デューティサイクル変調は、スイッチの単一構成によって直接得られないかもしれないオフセットを訂正するために用いられてもよい。
【００８２】
ブロック１６１０によって表わされるように、追跡回路１５１０はまた、出力信号１５１２のセットの位相を変更するために、必要に応じて、閾信号１５０８のセットを調整してもよい。それゆえ、高速時間追跡メカニズムもまた、回路１５００に提供される。
【００８３】
上で議論したような同様のやり方では、回路１５００は、出力信号１５１２の１つ以上に関して（例えば、示されない周波数分割回路の利用を通じて）位相オフセットおよび／または異なる周波数を定義するための情報（例えば、参照値）の表を採用してもよい。例えば、いくつかの実装では、追跡回路１５１０は、制御信号１５０４と閾信号１５０８とを生成するために用いられる、表におけるエントリを定義してもよい（例えば、繰り返し適合させる）。例えば、一旦、追跡回路１５１０がある出力信号１５１２とある入力信号１５１４とが同期したことを決定すれば、追跡回路１５１０は、ある出力信号１５１２の電流の周波数および／または位相をもたらす閾信号１５０８および制御信号１５０４の１以上の電流値に関連した情報（例えば、１以上の参照値）を記憶してもよい。いくつかの実装では、記憶された参照値は、いくつかの異なる定義された値のうちの１つに、ある出力信号１５１２の位相および／または周波数を調整するために用いられてもよい。加えて、複数の出力信号１５１２が提供される実装では、参照値は、出力信号１５１２のそれぞれに関するユニークな周波数および／または位相を定義するために用いられてもよい。
【００８４】
回路１５００は、出力信号１５１２の所望数を提供するために様々な方法で構成されてもよい。例えば、いくつかのアプリケーションでは、回路１５００は、単一の入力信号１５１４に基づく多相クロック１５１２を提供してもよい。あるいは、いくつかのアプリケーションでは、回路１５００は、各クロックがいくつかの入力信号１５１４の対応する１つと同期して追跡する多相クロック１５１２を提供してもよい。
【００８５】
様々な修正が、ここの教示に基づく回路１５００になされてもよいことを理解すべきである。例えば、回路１５０２は、上に議論したように、リアクタンス素子の異なる種類（例えば、可変リアクタンス素子）とリアクタンス素子の異なる組合せ（例えば、キャパシタおよび／またはインダクタ）とを採用してもよい。また、回路１５０６は、出力信号１５１２を生成するための比較器１５１６の異なる種類を採用してもよい。
【００８６】
ここで議論されるような同期および追跡回路は、様々なアプリケーションにおいて採用されてもよい。例えば、図１７の通信システム１７００を参照すると、受信機１７０２は、送信機１７０４から受信した信号からデータを回復するために、ここに教示されるような同期および追跡回路を含んでもよい。
【００８７】
ここで、送信機１７０４の出力段１７０６は、送信クロック１７０８に基づいて受信機１７０２にデータを送信してもよい。それゆえ、受信機１７０２によって受信された信号のタイミングは、送信クロック１７０８の周波数に基づく。
【００８８】
受信機１７０２は、受信クロック発生器１７１２によって生成された適切な時間受信クロックに基づく受信信号からデータを回復するデータ回復コンポーネント（例えば、回路）１７１０を含む。受信クロック発生器１７１２は、順に、発振回路１７１４（例えば、ここで議論されるような水晶振動子回路）によって生成されたクロックの位相および周波数を調整するために、同期および追跡回路を利用してもよい。
【００８９】
動作中に、受信データ信号は、データ回復コンポーネント１７１０と受信クロック発生器１７１２とに調整された受信データ信号を提供する、増幅器およびフィルタコンポーネント１７１６に提供される。従って、受信データ信号は、受信クロック発生器１７１２がその生成された受信クロック信号（例えば、図１５の出力信号１５１２のセット）を比較する、図１５の入力信号１５１４のセットを含んでもよい。従って、受信クロック生成器１７１２は、必要に応じて、受信クロック信号が受信データ信号と同期して追跡できるように、閾信号およびその制御の値を調整するだろう。このようにして、データ回復コンポーネント１７１０は、受信データ信号からデータを抽出するために効率的に用いられてもよい受信クロック信号を提供してもよい。
【００９０】
ここでの教示は、少なくとも１つの他のデバイスと通信するための様々なコンポーネントを採用するデバイスに組み込まれてもよい。図１８は、デバイス間の通信を円滑にするために採用されてもよいいくつかの見本コンポーネントを描く。ここで、第１デバイス１８０２および第２デバイス１８０４は、適した媒体で無線通信リンク１８０６を経て通信するために適合する。
【００９１】
最初に、デバイス１８０２からデバイス１８０４へ情報を送信すること（例えば、リバースリンク）に従事するコンポーネントが扱われるだろう。送信（“ＴＸ”）データプロセッサ１８０８は、データバッファ１８１０またはいくつかの他の適するコンポーネントからトラフィックデータ（例えば、データパケット）を受信する。送信データプロセッサ１８０８は、選択された符号化および変調スキームに基づいて、各データパケットを処理し（例えば、エンコードし、インタリーブし、およびシンボルマッピングし）、データシンボルを提供する。一般に、データシンボルは、データに関する変調シンボルであり、パイロットシンボルは（先験的に知られる）パイロットの変調シンボルである。変調器１８１２は、リバースリンクに関して、データシンボル、パイロットシンボルおよび可能なシグナリングを受信し、変調（例えば、ＯＦＤＭまたはいくつかの他の適する変調）および／またはシステムによって特定されるような他の処理をおこない、出力チップのストリームを提供する。送信機（“ＴＭＴＲ”）１８１４は、出力チップストリームを処理し（例えば、アナログに変換し、フィルタし、増幅し、および、周波数アップコンバートし）、変調信号を生成し、変調信号はその後アンテナ１８１６から送信される。
【００９２】
（デバイス１８０４との通信における他のデバイスからの信号と一緒に）デバイス１８０２によって送信された変調信号は、デバイス１８０４のアンテナ１８１８によって受信される。受信機（“ＲＣＶＲ”）１８２０は、アンテナ１８１８からの受信信号を処理し（例えば、調整し、およびデジタル化し）受信したサンプルを提供する。復調器（“ＤＥＭＯＤ”）１８２２は、受信したサンプルを処理し（例えば、復調し、および検出し）、検出されたデータシンボルを提供し、データシンボルは、他の１以上のデバイスによってデバイス１８０４に送信されたデータシンボルの雑音のある推定であってもよい。受信（“ＲＸ”）データプロセッサ１８２４は、検出されたデータシンボルを処理し（例えば、シンボルデマッピングし、デインターリーブし、またデコードし）、各送信デバイス（例えばデバイス１８０２）に関連したデコードされたデータを提供する。
【００９３】
ここで、デバイス１８０４からデバイス１８０２へ情報を送信すること（例えば、フォワードリンク）に従事するコンポーネントが扱われるだろう。デバイス１８０４では、トラフィックデータはデータシンボルを生成するために送信（“ＴＸ”）データプロセッサ１８２６によって処理される。変調器１８２８は、フォワードリンクに関するシグナリング、データシンボル、パイロットシンボルを受信し、変調（例えば、ＯＦＤＭまたはいくつかの他の適する変調）および／または他の妥当な処理をおこない、出力チップストリームを提供する。出力チップストリームは、送信機（“ＴＭＴＲ”）１８３０によってさらに調整され、アンテナ１８１８から送信される。いくつかの実装では、フォワードリンクに関するシグナリングは、リバースリンクでデバイス１８０４に送信する全てのデバイス（例えば、端末）のためのコントローラ１８３２によって生成された他の情報（例えば、通信チャネルに関する情報）および電力制御コマンドを含んでいてもよい。
【００９４】
デバイス１８０２では、デバイス１８０４によって送信された変調信号は、アンテナ１８１６によって受信され、受信機（“ＲＣＶＲ”）１８３４によって調整されてデジタル化され、検出されたデータシンボルを得るために復調器（“ＤＥＭＯＤ”）１８３６によって処理される。受信（“ＲＸ”）データプロセッサ１８３８は、検出されたデータシンボルを処理し、デバイス１８０２およびフォワードリンクシグナリングに関する復号データを提供する。コントローラ１８４０は、データ送信を制御し、リバースリンクでデバイス１８０４への送信電力を制御するための他の情報および電力制御コマンドを受信する。
【００９５】
コントローラ１８４０および１８３２は、デバイス１８０２およびデバイス１８０４の様々な動作をそれぞれ命令する。例えば、コントローラは、フィルタについての情報を報告する適切なフィルタを決定してもよく、フィルタを用いて情報をデコードしてもよい。データメモリ１８４２および１８４４は、コントローラ１８４０および１８３２によって用いられるプログラムコードとデータとをそれぞれ記憶してもよい。
【００９６】
図１８はまた、通信コンポーネントがここに教示されるような信号生成機能を提供する１以上のコンポーネントを含んでもよいことを示す。例えば、受信機１８３４は、クロック発生回路１８４６を含んでもよく、受信機１８２０は、クロック発生回路１８４８を含んでもよい。
【００９７】
無線デバイスは、ここに教示されるように生成される出力信号（例えば、発振信号）の利用を通じて提供される（例えば、送信したまたは受信した）データに基づく機能をおこなう様々なコンポーネントを含んでもよい。例えば、無線ヘッドセットは、出力信号の利用を通じて提供されるデータに基づくオーディオ出力を提供することに適する変換器を含んでもよい。無線検出デバイスは、出力信号の利用を通じて送信されるべきデータを提供することに適するセンサを含んでもよい。無線時計は、出力信号の利用を通じて提供されるデータに基づく指示を提供することに適するユーザインタフェースを含んでもよい。一例として、ユーザインタフェースは、ディスプレイ画面、照明素子（例えば、ＬＥＤデバイス）、スピーカ、温度に基づくインジケータ、または、ユーザに指示のいくつかの形式（例えば、視覚的な、可聴式の、振動に関連する、温度に関連するなどの指示）を提供するいくつかの他の適したデバイスを含んでもよい。
【００９８】
無線デバイスは、任意の適切な無線通信技術に基づく、またはそうでなければサポートする１以上の無線通信リンクを経て通信してもよい。例えば、いくつかの態様では、無線デバイスはネットワークに関連してもよい。いくつかの態様では、ネットワークは、ボディエリアネットワークまたはパーソナルエリアネットワーク（例えば、超広帯域ネットワーク）を含んでもよい。いくつかの態様では、ネットワークは、ローカルエリアネットワークまたは広域ネットワークを含んでもよい。無線デバイスは、例えばＣＤＭＡ、ＴＤＭＡ、ＯＦＤＭ、ＯＦＤＭＡ、ＷｉＭＡＸおよびＷｉ−Ｆｉのような、様々な無線通信技術、プロトコルまたは規格の１以上をサポートしてもよく、または別の方法で用いてもよい。同様に、無線デバイスは、様々な対応する変調または多重化スキームの１以上をサポートしてもよく、または別の方法で用いてもよい。無線デバイスはそれゆえ、上のまたは他の無線通信技術を用いて、１以上の無線通信リンクを経て確立し通信するために適切なコンポーネント（例えば、エアインタフェース）を含んでもよい。例えば、デバイスは、無線媒体での通信を円滑にする様々なコンポーネント（例えば、信号発生器および信号プロセッサ）を含んでもよい、送信機および受信機コンポーネント（例えば、送信機１０８および受信機１１０）に関連した無線トランシーバを含んでもよい。
【００９９】
いくつかの態様では、無線デバイスは、インパルスに基づく無線通信リンクを経て通信してもよい。例えば、インパルスに基づく無線通信リンクは、比較的短い長さ（例えば、約数ナノセカンド以下）および比較的広い帯域幅を有する、超広帯域パルスを利用してもよい。ある態様では、超広帯域パルスは、約２０％以上の部分的な帯域幅を有し、かつ／または、約５００ＭＨｚ以上の帯域幅を有してもよい。
【０１００】
ここでの教示は、様々な装置（例えば、デバイス）内に組み込まれ（例えば、実装され、おこなわれ）てもよい。例えば、ここに教示された１以上の態様は、電話機（例えば、携帯電話）、パーソナルデータアシスタント（“ＰＤＡ”）、娯楽デバイス（例えば、音楽または映像デバイス）、ヘッドセット（例えば、ヘッドホン、イアピースなど）、マイクロホン、医療用検出デバイス（例えば、バイオメトリックセンサ、心拍数モニタ、歩数計、ＥＫＧデバイスなど）、ユーザ入出力デバイス（例えば、時計、リモートコントロール、光学スイッチ、キーボード、マウスなど）、環境検出デバイス（例えば、タイヤ圧モニタ）、コンピュータ、ＰＯＳシステムのデバイス、娯楽デバイス、補聴器、セットトップボックス、または任意の他の適するデバイス内に組み込まれてもよい。
【０１０１】
これらのデバイスは、異なる電力および必要データを有してもよい。いくつかの態様では、ここでの教示は、（例えば、インパルスに基づいたシグナリングスキームおよび低デューティサイクルモードの利用を通じた）低消費電力アプリケーションでの利用に適してもよく、（例えば、高帯域幅パルスの利用を通じた）比較的高いデータレートを含む様々なデータレートをサポートしてもよい。
【０１０２】
ある態様では、無線デバイスは、通信システム用のアクセスデバイス（例えば、Ｗｉ−Ｆｉアクセスポイント）を含んでもよい。そのようなアクセスデバイスは、例えば、有線または無線の通信リンクを経て別のネットワーク（例えば、インターネットまたはセルラーネットワークのような広域ネットワーク）への接続を提供してもよい。従って、アクセスデバイスは、別のデバイス（例えば、Ｗｉ−Ｆｉステーション）が、他のネットワークまたはいくつかの他の機能にアクセスすることをできるようにしてもよい。加えて、１つまたは両方のデバイスが、ポータブルであってもよく、いくつかの場合には、相対的に非ポータブルであってもよいことを理解すべきである。
【０１０３】
ここに記述されたコンポーネントは、様々な方法で実装されてもよい。図１９−２１を参照すると、デバイス１９００、２０００および２１００は、例えば、１以上の集積回路（例えば、ＡＳＩＣ）によって実装された機能を表わしてもよく、ここに教示されるようないくつかの他のやり方で実装されてもよい、一連の相互関係がある機能ブロックとして表わされる。ここに議論されるように、集積回路は、プロセッサ、ソフトウェア、他のコンポーネントまたはいくつかのそれらの組み合わせを含んでもよい。
【０１０４】
デバイス１９００−２１００は、様々な図に関して上述された機能の１以上をおこなってもよい１以上のモジュールを含んでもよい。例えば、提供するＡＳＩＣ１９０２、２００２または２１０２は、例えばここに議論されるような発振回路に対応してもよい。比較するＡＳＩＣ１９０４または２１０４は、例えばここに議論されるような比較器に対応してもよい。生成するＡＳＩＣ１９０６は、例えばここに議論されるような閾回路に対応してもよい。記憶するＡＳＩＣ１９０８または２１０８は、例えばここに議論されるようなデータメモリに対応してもよい。回復するＡＳＩＣ１９１０、２００８または２１１０は、例えばここに議論されるようなデータ回復回路に対応してもよい。接続するＡＳＩＣ２００４は、例えばここに議論されるようなリアクタンス回路に対応してもよい。変化させるＡＳＩＣ２００６は、例えばここに議論されるような制御回路に対応してもよい。引き起こすＡＳＩＣ２１０６は、例えばここに議論されるような時間および周波数追跡回路に対応してもよい。
【０１０５】
上に述べたように、いくつかの態様では、これらのコンポーネントは、適切なプロセッサコンポーネントを経て実装されてもよい。これらのプロセッサコンポーネントは、例えばここに教示されるような構造を用いて、いくつかの態様において少なくとも部分的に実装されてもよい。ある態様では、プロセッサは、これらのコンポーネントの１以上の機能の全てまたは一部を実装することに適してもよい。いくつかの態様では、破線の四角形によって表わされるコンポーネントの１つ以上はオプションである。
【０１０６】
上に述べたように、デバイス１９００−２１００は、１以上の集積回路を含んでもよい。例えば、いくつかの態様では、単一の集積回路が、示されたコンポーネントの１以上の機能を実装してもよく、一方他の態様では、１以上の集積回路が示されたコンポーネントの１以上の機能を実装してもよい。
【０１０７】
加えて、図１９−２１によって表わされるコンポーネントおよび機能は、ここに記述された他のコンポーネントおよび機能と同様に、任意の適した手段を用いて実装されてもよい。そのような手段はまた、ここに教示されるような対応する構造を用いて、少なくとも部分的に実装されてもよい。例えば、図１９−２１の“〜するＡＳＩＣ”コンポーネントと共に上述されたコンポーネントはまた、同様に指定された“〜する手段”機能に対応してもよい。それゆえ、いくつかの態様では、そのような手段の１以上は、ここに教示されるような、プロセッサコンポーネント、集積回路または他の適する構造の１以上を用いて実装されてもよい。
【０１０８】
また、“第１”、“第２”などのような指定を用いるここの要素（element）への任意の言及は、それらの要素の数量または順序を一般的に制限しないことを理解すべきである。
【０１０９】
むしろ、これらの指定は、２以上の異なる要素を区別する便利な方法としてここに用いられる。それゆえ、第１および第２要素への言及は、２つの要素だけがそこに用いられてもよいか、第１要素がいくつかの方法において第２要素に先行しなければならないことを意味しない。また、そうでなければ、記述がない限り、要素のセットが１以上の要素を含んでもよい。
【０１１０】
当業者は、情報および信号が、様々な異なる技術と手法とのうちのどれを用いて表されてもよいことを理解するであろう。例えば、上記の説明の全体にわたって参照されてもよいデータ、命令、コマンド、情報、信号、ビット、シンボルおよびチップは、電圧、電流、電磁波、磁場または磁性粒子、光場または光学的粒子、またはそれらの任意の組合せによって表わされてもよい。
【０１１１】
当業者は、様々な実例となる論理ブロック、モジュール、プロセッサ、手段、回路、およびここに開示された態様に関連して記述されるアルゴリズムステップが、電子ハードウェア（例えば、ソースコードまたはいくつかの他の手法を用いて設計されてもよい、デジタル実装、アナログ実装、またはその２つの組み合わせ）、命令を組み込む設計コードまたはプログラムの様々な形式（簡単のため、“ソフトウェア”または“ソフトウェアモジュール”としてここで呼ばれてもよい）、または両方の組み合わせとして実装されてもよいことをさらに認識するだろう。ハードウェアとソフトウェアとのこの互換性を明白に示すために、様々な実例となるコンポーネント、ブロック、モジュール、回路およびステップは、それらの機能性の点から一般的に上述されている。そのような機能性がハードウェアまたはソフトウェアとして実装されるかどうかは、全体のシステムに与えられる設計制約および特定のアプリケーションに依存する。熟練した職人は、各特定のアプリケーション用に様々な方法で記述される機能性を実装してもよい。しかし、そのような実装決定は、本開示の範囲からの逸脱を引き起こすとは解釈されるべきでない。
【０１１２】
ここに開示された実施形態に関連して記述される様々な実例となる論理ブロック、モジュール、および回路は、集積回路（“ＩＣ”）、アクセス端末、またはアクセスポイント内に実装されてもよく、これらによって行われてもよい。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラム可能な論理デバイス、離散ゲートまたはトランジスタロジック、離散ハードウェアコンポーネント、電気コンポーネント、光学コンポーネント、または、ここに記述される機能をおこなうために設計されるそれらの任意の組合せを含んでもよく、ＩＣ内、ＩＣ外、または両方に存在する命令またはコードを実行してもよい。汎用プロセッサは、マイクロプロセッサでもよいが、その代わりに、プロセッサは任意の従来のプロセッサ、コントローラ、マイクロコントローラ、または状態機械でもよい。プロセッサはまた、計算デバイスの組み合わせとして実装されてもよく、例えば、ＤＳＰおよびマイクロプロセッサの組合せ、複数個のマイクロプロセッサ、ＤＳＰコアに関連する１つ以上のマイクロプロセッサ、または任意の他のそのような構成である。
【０１１３】
任意の本開示された処理における任意の特定の順序またはステップの階層は見本アプローチの例であることが理解される。設計プレファレンスに基づいて、本開示の範囲内で残っている間に、処理における特定の順序またはステップの階層が再配置されてもよいことが理解される。添付の方法の特許請求の範囲は、見本順序における様々なステップの要素を提示し、提示された特定の順序または階層に制限されるべきであることを意図しない。
【０１１４】
ここに開示された態様に関連して記述される方法またはアルゴリズムのステップは、ハードウェア、プロセッサによって実行されるソフトウェアモジュール、または２つの組合せで直接具体化されてもよい。ソフトウェアモジュール（実行可能な命令および関連データを含む）と他のデータとは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、またはその技術分野で知られている記憶媒体の任意の他の形式のようなデータメモリに備わっていてもよい。見本記憶媒体は、例えば、記憶媒体から情報（例えば、コード）を読み、記憶媒体へ情報を書くことができるプロセッサのような（簡単のため、“プロセッサ”と呼ばれてもよい）コンピュータ／プロセッサのような機械に接続されてもよい。見本記憶媒体は、プロセッサに不可欠であってもよい。プロセッサと記憶媒体とは、ＡＳＩＣに備わっていてもよい。ＡＳＩＣは、ユーザ装置に備わっていてもよい。別の方法では、プロセッサと記憶媒体とは、ユーザ端末において個別部品として備わっていてもよい。その上、いくつかの態様では、任意の適したコンピュータプログラム製品は、本開示の態様の１以上に関する（例えば、少なくとも１つのコンピュータに寄って実行可能な）コードを含むコンピュータ読み取り可能な媒体を含んでもよい。いくつかの態様では、コンピュータプログラム製品は、実装構成要素（packaging material）を含んでもよい。
【０１１５】
本開示された態様の前の記述は、どんな当業者にも本開示を利用または作ることをできるようにするために提供される。これらの態様への様々な変更は、当業者にとっては即座に明白であるだろうし、ここに定義される包括的な原理は、本開示の範囲から逸脱せずに他の態様に適用されてもよい。それゆえ、本開示の範囲は、ここに示される態様に限定されるようには意図されていないが、ここに開示された新規な特徴と原理とに一致する最も広い範囲を与えることになっている。
【図１】
2014014081.tif 000003
【図２】
2014014081.tif 000004
【図３】
2014014081.tif 000005
【図４】
2014014081.tif 000006
【図５】
2014014081.tif 000007
【図６】
2014014081.tif 000008
【図７】
2014014081.tif 000009
【図８】
2014014081.tif 000010
【図９】
2014014081.tif 000011
【図１０】
2014014081.tif 000012
【図１１】
2014014081.tif 000013
【図１２】
2014014081.tif 000014
【図１３】
2014014081.tif 000015
【図１４】
2014014081.tif 000016
【図１５】
2014014081.tif 000017
【図１６】
2014014081.tif 000018
【図１７】
2014014081.tif 000019
【図１８】
2014014081.tif 000020
【図１９】
2014014081.tif 000021
【図２０】
2014014081.tif 000022
【図２１】
2014014081.tif 000023
【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
信号を提供する装置であって、
発振信号を提供する発振回路と、
制御信号に基づいて、キャパシタンス、インダクタンス、またはキャパシタンスおよびインダクタンスの可変量を前記発振回路に接続するリアクタンス回路と、
前記発振信号の周波数における一時的な変更を引き起こすために、前記制御信号を第１信号値から第２信号値に一時的に変化させる制御回路と、を具備する装置。
【手続補正２】
【補正対象書類名】明細書
【補正対象項目名】０１１５
【補正方法】変更
【補正の内容】
【０１１５】
本開示された態様の前の記述は、どんな当業者にも本開示を利用または作ることをできるようにするために提供される。これらの態様への様々な変更は、当業者にとっては即座に明白であるだろうし、ここに定義される包括的な原理は、本開示の範囲から逸脱せずに他の態様に適用されてもよい。それゆえ、本開示の範囲は、ここに示される態様に限定されるようには意図されていないが、ここに開示された新規な特徴と原理とに一致する最も広い範囲を与えることになっている。
以下に補正前の特許請求の範囲の請求項を付記する。  
（１）
発振信号を提供する装置であって、
前記発振信号を提供する発振回路と、
制御信号に基づいて、キャパシタンス、インダクタンス、またはキャパシタンスおよびインダクタンスの可変量を前記発振回路に接続するリアクタンス回路と、
前記発振信号の周波数における一時的な変更を引き起こすために、前記制御信号を第１信号値から第２信号値に一時的に変化させる制御回路と、を具備し、
前記制御回路は、トラッキングループにおいて実装され、前記トラッキングループは、別の信号の位相および周波数、位相、周波数を追跡するために、前記発振信号の位相および周波数、位相、周波数を調整する装置。
（２）
前記制御信号を前記一時的に変化させることは、前記発振信号の位相をスキューするために用いられる（１）の装置。
（３）
前記制御回路はさらに、前記スキューの大きさを定義するために、前記制御信号を前記一時的に変化させることの継続期間を定義する（２）の装置。
（４）
前記発振信号の周波数における前記変更は、前記発振信号の位相をスキューするために用いられる周波数における増加または減少を具備する（１）の装置。
（５）
前記制御信号を前記一時的に変化させることは、前記発振信号の位相の離散的なスキューを引き起こすために用いられる、前記第１信号値から前記第２信号値まで、および前記第１信号値へ戻るまでの一時的な変更を具備する（１）の装置。
（６）
前記制御信号を前記一時的に変化させることは、期間での前記発振信号の有効周波数を変更するために、前記期間で前記第１および第２信号値間で繰り返し変化させることを具備する（１）の装置。
（７）
前記制御回路はさらに、前記有効周波数を定義するための前記制御信号にデューティサイクルを定義する（６）の装置。
（８）
前記リアクタンス回路はさらに、前記制御信号が前記第１信号値である場合、キャパシタンス、インダクタンス、またはキャパシタンスおよびインダクタンスの第１量を前記発振回路に接続し、
前記リアクタンス回路はさらに、前記制御信号が前記第２信号値である場合、キャパシタンス、インダクタンス、またはキャパシタンスおよびインダクタンスの第２量を前記発振回路に接続する（１）の装置。
（９）
前記リアクタンス回路は、前記制御信号に応じて、容量性素子、誘導性素子、または容量性素子および誘導性素子を前記発振回路に接続するおよび切り離すスイッチを具備する（８）の装置。
（１０）
前記リアクタンス回路は、前記制御信号に基づくキャパシタンスの前記可変量を提供する可変容量性素子、前記制御信号に基づくインダクタンスの前記可変量を提供する可変誘導性素子、または、前記制御信号に基づくキャパシタンスおよびインダクタンスの前記可変量を提供する可変容量性および誘導性素子を具備する（１）の装置。
（１１）
前記発振回路は、インバータと並列に接続された水晶振動子を具備する（１）の装置。
（１２）
前記別の信号は、受信信号から回復されるクロック信号を具備する（１）の装置。
（１３）
前記発振信号に基づいて超広帯域パルスからデータを回復するデータ回復回路をさらに具備する（１）の装置。
（１４）
前記超広帯域パルスは、約２０％以上の部分的な帯域幅、約５００ＭＨｚ以上の帯域幅、または約２０％以上の部分的な帯域幅かつ約５００ＭＨｚ以上の帯域幅に関連する（１３）の装置。
（１５）
発振信号を提供する方法であって、
前記発振回路によって、発振信号を提供し、
制御信号に基づいて、キャパシタンス、インダクタンス、またはインダクタンスおよびキャパシタンスの可変量を前記発振回路に接続し、
前記発振信号の周波数における一時的な変更を引き起こすために、前記制御信号を第１信号値から第２信号値に一時的に変化させることを具備し、
前記制御信号の前記一時的な変化はトラッキングループにおいて実装され、前記トラッキングループは、別の信号の位相および周波数、位相、周波数を追跡するために、前記発振信号の位相および周波数、位相、周波数を調整する方法。
（１６）
前記制御信号を前記一時的に変化させることは、前記発振信号の位相をスキューするために用いられる（１５）の方法。
（１７）
前記スキューの大きさを定義するために、前記制御信号を前記一時的に変化させることの継続期間を定義することをさらに具備する（１６）の方法。
（１８）
前記発振信号の周波数における前記変更は、前記発振信号の位相をスキューするために用いられる周波数における増加または減少を具備する（１５）の方法。
（１９）
前記制御信号を前記一時的に変化させることは、前記発振信号の位相の離散的なスキューを引き起こすために用いられる、前記第１信号値から前記第２信号値まで、および前記第１信号値へ戻るまでの一時的な変更を具備する（１５）の方法。
（２０）
前記制御信号を前記一時的に変化させることは、期間での前記発振信号の有効周波数を変更するために、前記期間で前記第１および第２信号値間で繰り返し変化させることを具備する（１５）の方法。
（２１）
前記有効周波数を定義するために前記制御信号のデューティサイクルを定義することをさらに具備する（２０）の方法。
（２２）
前記接続することは、
前記制御信号が前記第１信号値である場合、キャパシタンス、インダクタンス、またはキャパシタンスおよびインダクタンスの第１量を前記発振回路に接続し、
前記制御信号が前記第２信号値である場合、キャパシタンス、インダクタンス、またはキャパシタンスおよびインダクタンスの第２量を前記発振回路に接続することを具備する（１５）の方法。
（２３）
前記接続することは、前記制御信号に応じて、容量性素子、誘導性素子、または容量性素子および誘導性素子を前記発振回路に接続することおよび切り離すことをさらに具備する（２２）の方法。
（２４）
前記接続することは、前記制御信号に基づく可変容量性素子のキャパシタンスを調整し、前記制御信号に基づく可変誘導性素子のインダクタンスを調整し、または、前記制御信号に基づく可変容量性および誘導性素子のキャパシタンスおよびインダクタンスを調整することを具備する（１５）の方法。
（２５）
前記発振回路は、インバータと並列に接続された水晶振動子を具備する（１５）の方法。
（２６）
前記別の信号は、受信信号から回復されるクロック信号を具備する（１５）の方法。
（２７）
前記発振信号に基づいて超広帯域パルスからデータを回復することをさらに具備する（１５）の方法。
（２８）
前記超広帯域パルスは、約２０％以上の部分的な帯域幅、約５００ＭＨｚ以上の帯域幅、または約２０％以上の部分的な帯域幅かつ約５００ＭＨｚ以上の帯域幅に関連する（２７）の方法。
（２９）
発振信号を提供する装置であって、
前記発振信号を提供する手段と、
制御信号に基づいて、キャパシタンス、インダクタンス、またはキャパシタンスおよびインダクタンスの可変量を提供する前記手段に接続する手段と、
前記発振信号の周波数における一時的な変更を引き起こすために、前記制御信号を第１信号値から第２信号値に一時的に変化させる手段と、を具備し、
一時的に変化させる前記手段は、トラッキングループに実装され、前記トラッキングループは、別の信号の位相および周波数、位相、周波数を追跡するために、前記発振信号の位相および周波数、位相、周波数を調整する装置。
（３０）
前記制御信号を前記一時的に変化させることは、前記発振信号の位相をスキューするために用いられる（２９）の装置。
（３１）
一時的に変化させる前記手段は、前記スキューの大きさを定義するために、前記制御信号の前記一時的に変化させることの継続期間を定義する（３０）の装置。
（３２）
前記発振信号の周波数における前記変更は、前記発振信号の位相をスキューするために用いられる周波数における増加または減少を具備する（２９）の装置。
（３３）
前記制御信号を前記一時的に変化させることは、前記発振信号の位相の離散的なスキューを引き起こすために用いられる、前記第１信号値から前記第２信号値まで、および前記第１信号値へ戻るまでの一時的な変更を具備する（２９）の装置。
（３４）
前記制御信号を前記一時的に変化させることは、期間での前記発振信号の有効周波数を変更するために、前記期間で前記第１および第２信号値間で繰り返し変化させることを具備する（２９）の装置。
（３５）
一時的に変化させる前記手段は、前記有効周波数を定義するために前記制御信号のデューティサイクルを定義する（３４）の装置。
（３６）
接続する前記手段は、
前記制御信号が前記第１信号値である場合、キャパシタンス、インダクタンス、またはキャパシタンスおよびインダクタンスの第１量を提供する前記手段に接続し、
前記制御信号が前記第２信号値である場合、キャパシタンス、インダクタンス、またはキャパシタンスおよびインダクタンスの第２量を提供する前記手段に接続する（２９）の装置。
（３７）
接続する前記手段は、前記制御信号に応じて、容量性素子、誘導性素子、または容量性素子および誘導性素子を提供する前記手段に接続するおよび切り離す（３６）の装置。
（３８）
接続する前記手段は、
前記制御信号に基づくキャパシタンスの前記可変量を提供する可変容量性素子を具備し、前記制御信号に基づくインダクタンスの前記可変量を提供する可変誘導性素子を具備し、または、前記制御信号に基づくキャパシタンスおよびインダクタンスの前記可変量を提供する可変容量性および誘導性素子を具備する（２９）の装置。
（３９）
提供する前記手段は、インバータと並列に接続された水晶振動子を具備する（２９）の装置。
（４０）
前記別の信号は、受信信号から回復されるクロック信号を具備する（２９）の装置。
（４１）
前記発振信号に基づいて超広帯域パルスからデータを回復するための手段をさらに具備する（２９）の装置。
（４２）
前記超広帯域パルスは、約２０％以上の部分的な帯域幅、約５００ＭＨｚ以上の帯域幅、または約２０％以上の部分的な帯域幅かつ約５００ＭＨｚ以上の帯域幅に関連する（４１）の装置。
（４３）
発振信号を提供するコンピュータプログラム製品であって、
少なくとも１つのコンピュータによって、
前記発振信号を提供し、
制御信号に基づいて、キャパシタンス、インダクタンス、またはキャパシタンスおよびインダクタンスの可変量を前記発振回路に接続し、
前記発振信号の周波数における一時的な変更を引き起こすために、前記制御信号を第１信号値から第２信号値に一時的に変化させ、
前記制御信号の前記一時的な変化はトラッキングループに実装され、前記トラッキングループは、別の信号の位相および周波数、位相、周波数を追跡するために、前記発振信号の位相および周波数、位相、周波数を調整する、実行可能なコードを具備するコンピュータ読み取り可能な媒体を具備するコンピュータプログラム製品。
（４４）
発振信号を提供する発振回路と、
制御信号に基づいて、キャパシタンス、インダクタンス、またはキャパシタンスおよびインダクタンスの可変量を前記発振回路に接続するリアクタンス回路と、
前記発振信号の周波数における一時的な変更を引き起こすために、前記制御信号を第１信号値から第２信号値に一時的に変化させる制御回路と、
前記発振信号の利用を通じて提供されるデータに基づいてオーディオ出力を提供する変換器と、を具備し、
前記制御回路は、トラッキングループにおいて実装され、前記トラッキングループは、別の信号の位相および周波数、位相、周波数を追跡するために、前記発振信号の位相および周波数、位相、周波数を調整するヘッドセット。
（４５）
発振信号を提供する発振回路と、
制御信号に基づいて、キャパシタンス、インダクタンス、またはキャパシタンスおよびインダクタンスの可変量を前記発振回路に接続するリアクタンス回路と、
前記発振信号の周波数における一時的な変更を引き起こすために、前記制御信号を第１信号値から第２信号値に一時的に変化させる制御回路と、
前記発振信号の利用を通じて提供されるデータに基づいて指示を提供するユーザインタフェースと、を具備し、
前記制御回路は、トラッキングループにおいて実装され、前記トラッキングループは、別の信号の位相および周波数、位相、周波数を追跡するために、前記発振信号の位相および周波数、位相、周波数を調整する時計。
（４６）
無線通信に関する検出デバイスであって、
発振信号を提供する発振回路と、
制御信号に基づいて、キャパシタンス、インダクタンス、またはキャパシタンスおよびインダクタンスの可変量を前記発振回路に接続するリアクタンス回路と、
前記発振信号の周波数における一時的な変更を引き起こすために、前記制御信号を第１信号値から第２信号値に一時的に変化させる制御回路と、
前記発振信号の利用を通じて送信されるべきデータを提供するセンサと、を具備し、
前記制御回路は、トラッキングループにおいて実装され、前記トラッキングループは、別の信号の位相および周波数、位相、周波数を追跡するために、前記発振信号の位相および周波数、位相、周波数を調整するする検出デバイス。
【外国語明細書】
2014014081000001.pdf